(57)【要約】【課題】薄型化が図れ構造が簡単で部品点数も少なく組み立てが容易で且つ良好なクリック感触が得られるクリック機能付き回転式電子部品を提供する。【解決手段】ケース本体１０と、ケース本体１０の上方に回動自在に設置される回転体７０と、ケース本体１０と回転体７０との間に設置され回転体７０の回転によって電気的出力を変化する電気的機能部（摺動子１００とスイッチパターン４５）とを具備する。回転体７０の外周側面に凹凸からなるクリック係合部７１を設けるとともに、回転体７０の周囲を囲む位置にクリック板５０を配置する。クリック板５０は、回転体７０を挟んだその両外側に設置されてクリック係合部７１に弾接する弾接部５５，５５を有する一対の弾接アーム５１，５１と、両弾接アーム５１，５１を連結する連結部５３，５３とを一体に形成して構成されている。【選択図】図３
2010113983.tif 000002
【特許請求の範囲】
【請求項１】
ケース本体と、
前記ケース本体の上方に回動自在に設置される回転体と、
前記ケース本体と回転体との間に設置され前記回転体の回転によって電気的出力を変化する電気的機能部と、を具備し、
前記回転体の外周側面に凹凸からなるクリック係合部を設けるとともに、回転体の周囲を囲む位置にクリック体を配置し、
前記クリック体は、前記回転体を挟んだその両外側に設置されて前記クリック係合部に弾接する弾接部を有する一対の弾接アームと、両弾接アームを連結する連結部とを一体に形成して構成されていることを特徴とするクリック機能付き回転式電子部品。
【請求項２】
請求項１に記載のクリック機能付き回転式電子部品において、
前記クリック体は、一対の弾接アームの両端を連結部によって連結する形状であり、弾接アームと連結部とを連結している部分をそれぞれ本体係止部とし、
一方前記ケース本体には前記クリック体の各本体係止部を係止する係止部を設けたことを特徴とするクリック機能付き回転式電子部品。
【請求項３】
請求項２に記載のクリック機能付き回転式電子部品において、
前記電気的機能部は、前記回転体に取り付けた摺動子と、前記摺動子が摺接するように前記ケース本体の表面に設けた摺接パターンとを具備して構成され、
前記ケース本体の表面の前記摺接パターンの周囲を囲む位置であって前記クリック体の連結部に対向する位置に上方に向かって立設する一対の側壁部を形成し、且つ前記一対の側壁部の対向する端部同士の間の凹部を一対の弾接部挿通部とし、
前記一対の側壁部の上に前記クリック体の連結部を載置するとともに、前記一対の弾接部挿通部を通して前記クリック体の弾接部を前記回転体のクリック係合部に弾接させることを特徴とするクリック機能付き回転式電子部品。
【発明の詳細な説明】
【技術分野】
【０００１】
本発明はクリック機能付き回転式電子部品に関するものである。
【背景技術】
【０００２】
従来、回転体を回転することで電気的出力（オンオフ信号等）を変化し、同時にクリック感触が得られる構造のクリック機能付き回転式電子部品が利用されている。この種のクリック機能付き回転式電子部品は、例えば特許文献１の図２に示すように、表面にスイッチパターン（６３）を設けたケース本体（６０）と、ケース本体（６０）の上方に回動自在に設置される回転体（３０）と、回転体（３０）の下面に取り付けられて前記スイッチパターン（６３）上を摺動する摺動子（５０）と、回転体（３０）の上部に設置され回転体（３０）上面に設けた凹凸からなるクリック係合部（３５）に弾接するクリック板（２０）と、クリック板（２０）の上部を覆うカバー（１０）とを有して構成されている。
【０００３】
しかしながら上記構成のクリック機能付き回転式電子部品においては、回転体（３０）の上面側でクリック板（２０）の弾接部（２４）とクリック係合部（３５）とを弾接させる構造なので、厚み方向の薄型化が図りにくい。
【０００４】
上記問題を解決するには、クリック係合部を回転体の外周側面に形成し、これに対向する位置、即ち回転体の外周側面の外側にクリック板の弾接部を設置すればよい（例えば特許文献２，３参照）。これによってクリック機能付き回転式電子部品の薄型化が図れる。しかしながら特許文献２，３に示すように構成すると、クリック板の弾接部によるクリック係合部への弾接位置が１か所なので、弾接位置が回転体の外周側面の対向する両側位置にある場合に比べて、回転体を回転した際のクリック感触が必ずしも良好ではなかった。一方前記弾接位置を回転体の外周側面の対向する両側位置に設けた場合は、２組のクリック板が必要になり、部品点数が増加するばかりか、組立工程も煩雑になってしまう。
【特許文献１】特開２００５−７８８４４号公報
【特許文献２】特開平８−２７９３１７号公報
【特許文献３】実開平６−２６１２８号公報
【発明の開示】
【発明が解決しようとする課題】
【０００５】
本発明は上述の点に鑑みてなされたものでありその目的は、薄型化が図れ、構造が簡単で部品点数も少なく組み立てが容易で、且つ良好なクリック感触が得られるクリック機能付き回転式電子部品を提供することにある。
【課題を解決するための手段】
【０００６】
本願請求項１に記載の発明は、ケース本体と、前記ケース本体の上方に回動自在に設置される回転体と、前記ケース本体と回転体との間に設置され前記回転体の回転によって電気的出力を変化する電気的機能部と、を具備し、前記回転体の外周側面に凹凸からなるクリック係合部を設けるとともに、回転体の周囲を囲む位置にクリック体を配置し、前記クリック体は、前記回転体を挟んだその両外側に設置されて前記クリック係合部に弾接する弾接部を有する一対の弾接アームと、両弾接アームを連結する連結部とを一体に形成して構成されていることを特徴とするクリック機能付き回転式電子部品にある。
【０００７】
本願請求項２に記載の発明は、請求項１に記載のクリック機能付き回転式電子部品において、前記クリック体は、一対の弾接アームの両端を連結部によって連結する形状であり、弾接アームと連結部とを連結している部分をそれぞれ本体係止部とし、一方前記ケース本体には前記クリック体の各本体係止部を係止する係止部を設けたことを特徴とするクリック機能付き回転式電子部品にある。
【０００８】
本願請求項３に記載の発明は、請求項２に記載のクリック機能付き回転式電子部品において、前記電気的機能部は、前記回転体に取り付けた摺動子と、前記摺動子が摺接するように前記ケース本体の表面に設けた摺接パターンとを具備して構成され、前記ケース本体の表面の前記摺接パターンの周囲を囲む位置であって前記クリック体の連結部に対向する位置に上方に向かって立設する一対の側壁部を形成し、且つ前記一対の側壁部の対向する端部同士の間の凹部を一対の弾接部挿通部とし、前記一対の側壁部の上に前記クリック体の連結部を載置するとともに、前記一対の弾接部挿通部を通して前記クリック体の弾接部を前記回転体のクリック係合部に弾接させることを特徴とするクリック機能付き回転式電子部品にある。
【発明の効果】
【０００９】
請求項１に記載の発明によれば、回転体の外周側面のクリック係合部にその外側からクリック体の弾接部を弾接させるので、クリック機能付き回転式電子部品の厚みの薄型化が図れる。また回転体を挟んだその両外側に設置される一対の弾接部をクリック係合部に弾接するので、バランスの良い良好なクリック感触が得られる。また一対の弾接アームを有するクリック体を連結部によって１部品で構成しているので、部品点数が少なく構造が簡単になり、組み立ても容易で、製造コストの低減化も図れる。
【００１０】
請求項２に記載の発明によれば、一対の弾接アームの両端を連結部によって連結し、弾接アームと連結部とを連結している各部分を本体係止部としてこれらをケース本体の係止部に係止するので、弾接アームの両端が確実にケース本体に係止でき、より確実なクリック感触が得られる。
【００１１】
請求項３に記載の発明によれば、ケース本体に設けた一対の側壁部上にクリック体の連結部を載置するとともに、ケース本体の一対の側壁部の対向する端部間に設けた弾接部挿通部を通してクリック体の弾接部を回転体のクリック係合部に弾接させるので、クリック体をケース本体上に安定して載置できると同時に、回転体の外周側面のクリック係合部への一対の弾接部の弾接が、クリック機能付き回転式電子部品の厚みを厚くすることなく簡単な構造で確実に行える。
【発明を実施するための最良の形態】
【００１２】
以下、本発明の実施形態を図面を参照して詳細に説明する。
〔第１実施形態〕
図１は本発明の第１実施形態にかかるクリック機能付き回転式電子部品１−１を上側から見た斜視図、図２はクリック機能付き回転式電子部品１−１を下側から見た斜視図、図３はクリック機能付き回転式電子部品１−１を上側から見た分解斜視図、図４はクリック機能付き回転式電子部品１−１を下側から見た分解斜視図である。これらの図に示すようにクリック機能付き回転式電子部品１−１は、ケース本体１０の上部に、クリック体（以下「クリック板」という）５０と、摺動子１００を取り付けた回転体７０と、カバー１３０とを設置して構成されている。以下各構成部分について説明する。なお以下の説明において、「上」とはケース本体１０から回転体７０側を見る方向をいい、「下」とはその反対方向をいうものとする。
【００１３】
ケース本体１０は合成樹脂を略矩形状に成形してなる成形体１１の内部に、摺接パターン（以下「スイッチパターン」という）４５を形成した金属板製の摺接板（以下「スイッチ板」という）４０（図５参照）をインサート成形して構成されている。図５はインサート成形前のスイッチ板４０の斜視図である。同図に示すようにスイッチ板４０は矩形状の薄板金属板（例えばステンレス板）にプレス加工などを行うことによって形成されており、スイッチパターン４５となるスイッチ部４１（４１Ａ，４１Ｂ）の周囲を矩形リング状の枠部４４で囲み、枠部４４の内周辺に端子部４３を介して前記各スイッチ部４１を接続している。枠部４４の各辺中央には円形の位置決め孔４６が設けられている。スイッチ部４１は中央に位置する１枚のリング形状のコモンスイッチ部４１Ａと、コモンスイッチ部４１Ａの周囲にこれを囲んで放射状に配置される複数枚（１０枚）のオンオフスイッチ部４１Ｂとを有している。コモンスイッチ部４１Ａは円形であって中央に貫通孔４７を有し、その外周から４本の端子部４３を突出してオンオフスイッチ部４１Ｂの間を接触しないように引き出されて枠部４４に接続している。また各オンオフスイッチ部４１Ｂは略直線状（扇状）であってコモンスイッチ部４１Ａの中心から放射状に等間隔に配置され、その外側端部からそれぞれ端子部４３を突出して枠部４４に接続している。端子部４３は何れも枠部４４の対向する一対の内周辺に接続されている。なお枠部４４のもう一方の一対の内周辺には、これら辺に最も近い２本ずつのオンオフスイッチ部４１Ｂから３本ずつ突出する細板状の補強部４９が接続されている。
【００１４】
そしてケース本体１０は、以上のように構成されているスイッチ板４０を図示しない金型で挟持し、枠体４４の内側部分に形成される金型キャビティー内に溶融樹脂（例えばＬＣＰ（液晶ポリマー））を充填して硬化させた後に金型を取り外し、次に端子部４３の成形体１１から所定長さ突出している部分と、補強部４９の成形体１１から突出している根元部分とをカット（図５に示すＡ−Ａ線，Ｂ−Ｂ線）して枠部４４を切り離し、さらに各端子部４３の成形体１１から突出している部分を成形体１１の下面側にコ字状に折り曲げることにより形成される。
【００１５】
ここで成形体１１は図３，図４に示すように略矩形状であり、その上面中央に略円形のスイッチパターン表示面１３を設けその面に前記コモンスイッチ部４１Ａの表面とオンオフスイッチ部４１Ｂの表面とからなるスイッチパターン４５を露出している。コモンスイッチ部４１Ａからなるスイッチパターン４５の中央には貫通孔４７（図５参照）を通して下面側の樹脂と連結している円柱状の軸支部１５が突設されている。また成形体１１の上面の前記スイッチパターン４５の周囲を囲む位置には上方に向かって立設する一対の側壁部１７，１７が設けられている。これら一対の側壁部１７，１７は前記軸支部１５を中心に１８０°対向する位置に設置されており、一方の側壁部１７と他方の側壁部１７の対向する端部同士の間にある凹部を一対の弾接部挿通部１９，１９としている。なお一対の側壁部１７，１７は下記するクリック板５０の一対の連結部５３，５３に対向する位置に設けられており、これらの上面は連結部５３，５３を載置する連結部載置面１７ａ，１７ａとなっている。また両連結部載置面１７ａ，１７ａのそれぞれの両端近傍には上方向に突出する四角柱状の下記するクリック板５０の各本体係止部５７，５７を係止する係止部２１，２１が設けられている。また成形体１１の弾接部挿通部１９，１９を形成した側の外側辺にはそれぞれ上方向に突出する外周側壁部２３，２３が設けられ、これら外周側壁部２３，２３と前記係止部２１，２１の間に溝部２５，２５が形成されている。外周側壁部２３，２３のそれぞれの両端部には、爪状に突出するカバー係止部２７，２７が設けられている。前述のように成形体１１の外周側壁部２３，２３の外側面から突出している各端子部４３は成形体１１の下面側に略コ字状に折り曲げられ、ケース本体１０を面実装型としている。
【００１６】
クリック板５０は弾性金属板製であり、下記する回転体７０を挟んだその両外側に設置される一対の直線状の弾接アーム５１，５１と、両弾接アーム５１，５１を連結する直線状の連結部５３，５３とを一体に矩形リング状に連結して構成されている。連結部５３，５３は平板帯状で直線状でその面が水平に設置されるように形成されており、その両端の部分を下側に折り曲げることで棒状の両弾接アーム５１，５１を両連結部５３，５３の面よりも下側に位置するようにしている。両弾接アーム５１，５１の中央には両者が対向する内側方向に向けて突出するように円弧状に湾曲する弾接部５５，５５が形成されている。弾接部５５，５５は下記する回転体７０のクリック係合部７１に弾接する部分である。弾接アーム５１，５１と連結部５３，５３とを連結している部分はそれぞれ本体係止部５７となっている。即ち両連結部５３，５３の両端部を下方向に折り曲げて両弾接アーム５１，５１全体を両連結部５３，５３の平面よりも下側に位置させると同時に、両連結部５３，５３の両端部（４か所）を本体係止部５７としている。
【００１７】
回転体７０は合成樹脂（例えばＰＯＭ樹脂）を略円板状に成形して構成されており、その外周側面には全周にわたる凹凸からなるクリック係合部７１が設けられている。回転体７０の上面中央には上方向に向かって突出する略円柱状の軸部７３が設けられ、またその下面中央には円形の穴からなる軸挿入部７５が設けられている。軸挿入部７５は前記ケース本体１０の軸支部１５を回動自在に挿入・軸支する内径寸法に形成されている。回転体７０の下面には３つの下方向に突出する小突起からなる摺動子取付突起７７が設けられている。
【００１８】
摺動子１００は弾性金属板を略円板状に形成して構成されており、中央には貫通孔１０１が設けられ、貫通孔１０１内には一対の円弧状のコモン摺動接点１０３が設置され、外周には円弧状のオンオフ摺動接点１０５が設けられ、また前記回転体７０の各摺動子取付突起７７に対向する位置にはこれらを挿入する小孔からなる回転体取付部１０７が設けられている。
【００１９】
カバー１３０は金属板（例えばステンレス板）を略矩形状に形成し、中央に円形の貫通孔からなる軸挿通部１３１を設け、また前記ケース本体１０のカバー係止部２７を突出している側の辺に対向する一対の辺に下方向に向かって折り曲げた本体取付部１３３，１３３を設け、もう一方の対向する辺に下方向に向かって折り曲げた側壁係止部１３５，１３５を設け、さらに本体取付部１３３，１３３の左右両側から舌片状の取付係止部１３３ａを左右方向（水平方向）に突出して構成されている。
【００２０】
クリック機能付き回転式電子部品１−１を組み立てるには、まず予め回転体７０の下面に摺動子１００を設置し、その際回転体７０の各摺動子取付突起７７を摺動子１００の各回転体取付部１０７に挿入し、摺動子取付突起７７の先端を熱カシメして取り付けておく。次に前記ケース本体１０の上に前記クリック板５０と回転体７０とを設置し、図６に示す状態にする。その際クリック板５０はその両弾接アーム５１，５１をケース本体１０の溝部２５，２５に挿入し、その連結部５３，５３を連結部載置面１７ａ，１７ａ上に当接し、その本体係止部５７を各係止部２１の外周側面に係止する。クリック板５０は４つの本体係止部５７（その内側の角部）が４つの係止部２１に係止されることで精度よく位置決めされる。一方回転体７０に取り付けた摺動子１００のコモン摺動接点１０３とオンオフ摺動接点１０５はケース本体１０のスイッチパターン４５（コモンスイッチ部４１Ａとオンオフスイッチ部４１Ｂの表面）に当接している。またケース本体１０の軸支部１５は回転体７０の軸挿入部７５に回動自在に挿入され、さらに回転体７０のクリック係合部７１にはケース本体１０の弾接部挿通部１９を通してクリック板５０の弾接部５５が弾接している。
【００２１】
そして前記回転体７０とクリック板５０とを収納したケース本体１０の上面にカバー１３０を被せ、カバー１３０の各取付係止部１３３ａをケース本体１０の各カバー係止部２７にスナップイン係合にて係止すれば、図１，図２に示すクリック機能付き回転式電子部品１−１が完成する。なお上記組立手順はその一例であり、他の各種異なる組立手順を用いて組み立てても良いことはいうまでもない（下記する第２実施形態においても同様である）。
【００２２】
完成したクリック機能付き回転式電子部品１−１において回転体７０を回転すれば、摺動子１００のコモン摺動接点１０３とオンオフ摺動接点１０５がスイッチパターン４５上を摺動して各端子部４３からのオンオフ出力が変化する。同時にクリック板５０の弾接部５５が回転体７０のクリック係合部７１の凹凸を乗り越えていくことでクリック感触が生じる。その際、回転体７０を挟んだその両外側に設置されたクリック板５０の一対の弾接部５５がクリック係合部７１に弾接するので、バランスの良い良好なクリック感触が得られる。さらに弾接アーム５１の両端（本体係止部５７）がケース本体１０（係止部２１）に係止されているので、この点からもより確実・良好なクリック感触が得られる。
【００２３】
以上説明したようにクリック機能付き回転式電子部品１−１は、回転体７０の外周側面に凹凸からなるクリック係合部７１を設けるとともに、回転体７０の周囲を囲む位置にクリック板５０を配置することで回転体７０の外周側面にクリック板５０の弾接部５５を弾接させたので、クリック板の弾接部を回転体の上面にて弾接させる構造に比べ、クリック機能付き回転式電子部品１−１の厚みの薄型化が図れる。また前記クリック板５０は、回転体７０を挟んだその両外側に設置されてクリック係合部７１に弾接する弾接部５５を有する一対の弾接アーム５１と、両弾接アーム５１を連結する連結部５３とを一体に１部品で形成して構成しているので、部品点数が少なく構造が簡単になり、組み立ても容易で、製造コストの低減化も図れる。また一対の弾接アーム５１，５１の両端を一対の連結部５３，５３によって連結して矩形リング状に形成しているので、クリック体５０自体の強度が強い。
【００２４】
またクリック機能付き回転式電子部品１−１は、ケース本体１０の表面のスイッチパターン４５の周囲を囲む位置であってクリック板５０の一対の連結部５３，５３に対向する位置に上方に向かって立設する一対の側壁部１７，１７を形成し、これら一対の側壁部１７，１７の上（連結部載置面１７ａ，１７ａ）にそれぞれクリック板５０の一対の連結部５３，５３を載置したので、クリック板５０をケース本体１０上に安定して載置できる。同時に一対の側壁部１７，１７の対向する端部同士の間の凹部を一対の弾接部挿通部１９，１９とし、これら一対の弾接部挿通部１９，１９を通してクリック板５０の弾接部５５，５５を回転体７０のクリック係合部７１に弾接させるように構成したので、回転体７０のクリック係合部７１への一対の弾接部５５，５５の弾接が、クリック機能付き回転式電子部品１−１の厚みを厚くすることなく簡単な構造で確実に行える。
【００２５】
〔第２実施形態〕
図７は本発明の第２実施形態にかかるクリック機能付き回転式電子部品１−２を上側から見た斜視図、図８はクリック機能付き回転式電子部品１−２を上側から見た分解斜視図、図９は回転体７０を下側から見た斜視図である。これらの図に示すクリック機能付き回転式電子部品１−２において、前記図１〜図６に示す第１実施形態にかかるクリック機能付き回転式電子部品１−１と同一又は相当部分には同一符号を付す。なお以下で説明する事項以外の事項については、前記図１〜図６に示す第１実施形態と同じである。これらの図に示すようにクリック機能付き回転式電子部品１−２は、ケース本体１０の上部に、摺動子１００を取り付けた回転体７０と、カバー付きのクリック体（以下「クリック板」という）５０とを設置して構成されている。
【００２６】
ケース本体１０は合成樹脂を略矩形状に成形してなる成形体１１の内部に、第１実施形態と同じスイッチパターン４５を形成したスイッチ板４０を第１実施形態と同一の方法によってインサート成形して構成されている。成形体１１において第１実施形態の成形体１１と相違する点は、外周側壁部２３及び溝部２５を省略した点と、係止部２１及びクリック板係止部（第１実施形態の「カバー係止部」に相当する）２７を同一部分に設けるためにその形状・位置を変更した点とである。すなわちこの実施形態では、係止部２１は側壁部１７，１７の両端に接続されるように設けられ、クリック板係止部２７は係止部２１の上端近傍部分の側面から外方に向けて爪状に突出するように設けられている。
【００２７】
回転体７０と摺動子１００の形状・構造は基本的に第１実施形態のものと同一なのでその説明は省略する。
【００２８】
クリック板５０は金属板（例えばステンレス板）を略矩形状に形成して構成されており、回転体７０を挟んだその両外側に設置される一対の直線状の弾接アーム５１，５１と、両弾接アーム５１，５１の両端を連結する連結部５３とを具備している。連結部５３は中央の略平板矩形状のカバー部５９の４隅から４本の連結アーム部６１を突出して形成されている。各連結アーム部６１の先端部分は下側に折り曲げられそれらの先端に接続する棒状の両弾接アーム５１，５１を連結部５３の面よりも下側に位置するようにしている。両弾接アーム５１，５１の中央には両者が対向する内側方向に向けて突出するように円弧状に湾曲する弾接部５５，５５が形成されている。弾接部５５，５５は回転体７０のクリック係合部７１に弾接する部分である。弾接アーム５１と連結部５３（連結アーム部６１）とを連結している部分はそれぞれ本体係止部５７となっている。即ち連結部５３（連結アーム部６１）の端部を下方向に折り曲げて両弾接アーム５１，５１全体を連結部５３の平面よりも下側に位置させると同時に、連結部５３（連結アーム部６１）の端部（４か所）を本体係止部５７としている。カバー部５９の中央には円形の貫通孔からなる軸挿通部１３１が設けられている。またカバー部５９の４隅近傍には下方向に向かって突出する棒状で弾性を有する取付部１３７が設けられ、取付部１３７の先端には爪１３９が形成されている。
【００２９】
クリック機能付き回転式電子部品１−２を組み立てるには、まず第１実施形態と同様にして回転体７０の下面に摺動子１００を取り付ける。次に前記ケース本体１０の上に前記回転体７０とクリック板５０とをこの順番で設置し、クリック板５０の各取付部１３７の爪１３９をケース本体１０の各クリック板係止部２７の下面にスナップイン係合する。これによって図７に示すクリック機能付き回転式電子部品１−２が完成する。このとき連結部５３（その左右両側の部分）は連結部載置面１７ａ上に当接し、その本体係止部５７は各係止部２１に係止される。即ちクリック板５０は４つの本体係止部５７（その下面内側の角部）が４つの係止部２１（その上面から外側側面にかけて）に係止されることで精度よく位置決めされる。一方回転体７０に取り付けた摺動子１００のコモン摺動接点１０３とオンオフ摺動接点１０５はケース本体１０のスイッチパターン４５に当接しており、また回転体７０の軸部７３はクリック板５０の軸挿通部１３１に回動自在に挿入され、回転体７０の軸挿入部７５にはケース本体１０の軸支部１５が回動自在に挿入され、さらに回転体７０のクリック係合部７１にはケース本体１０の弾接部挿通部１９を通してクリック板５０の弾接部５５が弾接している。
【００３０】
完成したクリック機能付き回転式電子部品１−２において回転体７０を回転すれば、摺動子１００のコモン摺動接点１０３とオンオフ摺動接点１０５がスイッチパターン４５上を摺動して各端子部４３からのオンオフ出力が変化する。同時にクリック板５０の弾接部５５が回転体７０のクリック係合部７１の凹凸を乗り越えていくことでクリック感触が生じる。その際、回転体７０を挟んだその両外側に設置された一対の弾接部５５がクリック係合部７１に弾接するので、バランスの良い良好なクリック感触が得られる。さらに弾接アーム５１の両端（本体係止部５７）がケース本体１０（係止部２１）に係止されているので、この点からもより確実・良好なクリック感触が得られる。
【００３１】
以上説明したクリック機能付き回転式電子部品１−２は、上記クリック機能付き回転式電子部品１−１と同様の効果を有する上に、カバー付きのクリック板５０を用いているので、クリック機能付き回転式電子部品１−１に比べて部品点数を削減できる。
【００３２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では成形体１１の内部にスイッチ板４０をインサート形成してケース本体１０を構成したが、例えば成形体１１の上面にスイッチパターンを形成した回路基板を載置するなどしてケース本体を構成してもよい。また上記実施形態ではスイッチパターン４５と摺動子１００とによって電気的機能部を構成したが、スイッチパターンの代わりに回路基板上に形成した抵抗体パターンを用いてもよく、さらに別の構造・機能を有する電気的機能部であってもよい。要はケース本体と回転体との間に設置され回転体の回転によって電気的出力を変化する電気的機能部であればよい。
【図面の簡単な説明】
【００３３】
【図１】クリック機能付き回転式電子部品１−１を上側から見た斜視図である。
【図２】クリック機能付き回転式電子部品１−１を下側から見た斜視図である。
【図３】クリック機能付き回転式電子部品１−１を上側から見た分解斜視図である。
【図４】クリック機能付き回転式電子部品１−１を下側から見た分解斜視図である。
【図５】スイッチ板４０の斜視図である。
【図６】クリック機能付き回転式電子部品１−１の組立方法説明図である。
【図７】クリック機能付き回転式電子部品１−２を上側から見た斜視図である。
【図８】クリック機能付き回転式電子部品１−２を上側から見た分解斜視図である。
【図９】回転体７０を下側から見た斜視図である。
【符号の説明】
【００３４】
１−１  クリック機能付き回転式電子部品
１０  ケース本体
１１  成形体
１７  側壁部
１７ａ  連結部載置面
１９  弾接部挿通部
２１  係止部
４０  スイッチ板（摺接板）
４１Ａ  コモンスイッチ部
４１Ｂ  オンオフスイッチ部
４３  端子部
４５  スイッチパターン（摺接パターン、電気的機能部）
５０  クリック板（クリック体）
５１  弾接アーム
５３  連結部
５５  弾接部
５７  本体係止部
７０  回転体
７１  クリック係合部
１００  摺動子（電気的機能部）
１３０  カバー
１−２  クリック機能付き回転式電子部品
【図１】
2010113983.tif 000003
【図２】
2010113983.tif 000004
【図３】
2010113983.tif 000005
【図４】
2010113983.tif 000006
【図５】
2010113983.tif 000007
【図６】
2010113983.tif 000008
【図７】
2010113983.tif 000009
【図８】
2010113983.tif 000010
【図９】
2010113983.tif 000011